(57)【特許請求の範囲】
【請求項１】
媒体収納部に収納された媒体を１枚ずつ繰り出して、その繰り出した媒体に所定の処理を施す媒体処理装置において、
各々の媒体繰り出し口を対向させて少なくとも２個配置された媒体収納部と、
この両媒体収納部の媒体繰り出し口間の上方に配置され、両媒体収納部の媒体を繰り出す繰り出しローラと、
該繰り出しローラの両側に設けられ、それぞれ媒体を前記媒体収納部側に戻す方向にのみ回転可能とし、かつ前記繰り出しローラの駆動源により回転するようにした第１の分離ローラと第２の分離ローラと、
前記繰り出しローラの回転に連動して揺動するように前記媒体繰り出し口間に配置され、前記繰り出しローラが正方向に回転したときは一方の媒体収納部の媒体に当接し、前記繰り出しローラが逆方向に回転したときは他方の媒体収納部の媒体に当接すると共に、前記繰り出しローラと同方向に回転して当接している媒体を、前記繰り出しローラと第１の分離ローラとの間、前記繰り出しローラと第２の分離ローラとの間のいずれかに送るピックアップローラと、
前記繰り出しローラの駆動源からの回転力により回転する媒体繰り出し口間に設けられたシャフトと、
前記シャフトに設けられ、前記繰り出しローラの駆動源からの回転力により前記シャフトと一体に回転すると共に、前記ピックアップローラが媒体収納部の媒体に当接すると前記シャフトとの間に滑りを生じさせるトルクリミッタと、
前記ピックアップローラは、前記トルクリミッタと一体のブラケットに支持され、前記シャフトの回転に伴って前記シャフトを中心に揺動自在とし、
前記ピックアップローラが前記媒体繰り出し口において前記媒体に当接して前記繰り出しローラと前記分離ローラとの間に媒体を繰り出したとき、次の媒体が前記繰り出しローラと第１の分離ローラまたは第２の分離ローラとの間に挟みこまれた場合、その媒体を繰り出された媒体収納部に戻すように前期繰り出しローラと前記第1の分離ローラまたは第２の分離ローラを回転させることを特徴とする媒体処理装置。
【発明の詳細な説明】
【０００１】
【発明の属する技術分野】
本発明は、媒体収納部から媒体を繰り出して所定の処理を施す媒体処理装置に関するものである。
【０００２】
【従来の技術】
交通旅客分野、あるいは観劇やコンサート等の娯楽分野の他、各種の分野においても、予約システムが発達している。
このようなシステムにおいては、予約形態に応じた多量の予約情報の管理を正確に行うため、従来より予約の自動化が推進されており、それに伴って各業種対応の券発行装置すなわち媒体処理装置が提案され、実用化されてきている。
【０００３】
図７はこの種の媒体処理装置の内部構成を示す側断面図である。
図において１は装置の筐体で、この筐体１のフロントパネル上部には、オペレータにより操作される情報入力用の複数の操作キーを備えた操作部であるキーボード２が設けられており、また、筐体１上には、情報表示のためのＣＲＴやＬＣＤ等の表示部３が設けられている。
【０００４】
４は筐体１の上面に設けられた券排出口である。
５は筐体１内に配置されたプリンタ部であり、このプリンタ部５は、プラテン６と、該プラテン６に対向するように配置された印字ヘッド７と、リボン供給リール８及びリボン巻き取りリール９と、この両リール８，９に巻き付けられかつ前記印字ヘッド７の前面を通過し得るようにセットされたインクリボン１０と、これら６〜１０の構成要素を駆動する図示しないモーターやその動力伝達機構等を備えている。
【０００５】
１１は予約券となるべき未印字の媒体、１２は筐体１内の底部に装着された媒体収納部としてのホッパで、媒体１１はホッパ１２内に１方向に整列された状態で収納されている。
ここで、ホッパ１２は、媒体１のニアエンドを検知するための図示しないセンサや、他の必要な機構を含んでいる。
【０００６】
１３は媒体１１を挟持して搬送するためのベルト及びローラ等から成る搬送路で、この搬送路１３はホッパ１２の印字媒体供給口とプリンタ部５におけるプラテン６と印字ヘッド７とより成る印字部、及びこの印字部と券排出口４とを結ぶように配置されている。
１５はプリンタ部５の上方の位置に設けられたジャーナルプリンタ部で、このジャーナルプリンタ部１５は、ロール状に巻かれたジャーナル用紙１６と、プラテン１７と、このプラテン１７に対向するように配置された印字ヘッド１８と、筐体１の上面部に配置された巻き取りローラ１９ａ，１９ｂと、これら１６〜１９ａ，１９ｂの構成要素を駆動するモーターやその動力伝達機構等により構成されている。
【０００７】
ここで、ジャーナル用紙１６は、その支持部からプラテン１７と印字ヘッド１８との間を通り、筐体１の上面に設けられた用紙排出口を経て、巻き取りローラ１９ａ，１９ｂ上に至るようにセットされている。
図８は上述した媒体処理装置の制御系を含む機能ブロック図である。
図において２０は装置全体を制御する主制御部で、この主制御部２０には前記キーボード２、プリンタ部５及びジャーナルプリンタ部１５と共に、表示制御部２１、排出口センサ２２、ホッパ機構部２３、ＲＡＭ等のメモリ、通信制御部２５、及び搬送制御部２６が接続されていて、これらはすべて主制御部２０の支配下におかれている。
【０００８】
ここで、表示制御部２１は表示部３による表示内容を制御するもので、排出口センサ２２は図４における券排出口４での券の有無を検知するものである。
ホッパ機構部２３はホッパ１２に含まれるニアエンド検知用のセンサや、媒体１１をホッパ１２から繰り出す媒体繰り出し手段等によって構成されるものである。
【０００９】
また、メモリ２４はキーボード２等から入力される情報を記憶しておくために用いられるもので通信制御部２５はホスト装置と情報の授受を行うための所謂インターフェースである。
更に、搬送路制御部２６は、搬送路１３を成すベルトやローラ等を駆動する図示しないモーターやソレノイド等のデバイス群２７及び搬送路１３により搬送される媒体１１の搬送状態等を検知するために搬送路１３に配置された複数のセンサから成るセンサ群２８を制御するものである。
【００１０】
この構成における券の発行動作は次の通りである。
例えば、列車の座席指定券を発行する場合を例にとって説明すると、まず、オペレータが発着駅名や列車名、列車番号、乗車日時等の情報をキーボード２により入力する。
この入力情報はメモリ２４に一時記憶され、同時に主制御部２０により通信制御部部２５を介してホスト装置との交信が行われ、このホスト装置のファイル部から前記の入力情報により特定される列車の座席情報が検索される。
【００１１】
そして、検索された座席情報が通信制御部２５を介して主制御部２０に通知され、主制御部２０はその通知された情報をメモリ２４に一時記憶させると共に、表示制御部２１を介して表示部３に表示させる。
これを見てオペレータが座席指定の予約が可能か否かを判断し、可能であれば予約すべき座席番号及び券発行を指示する情報を入力する。
【００１２】
この入力された座席番号はメモリ２４に記憶され、同時に主制御部２０はホッパ機構部２３を駆動すると共に、搬送制御部２６を介して駆動デバイス群２７を駆動させる。
これによりホッパ１２から媒体１１が搬送路１３に繰り出され、この繰り出された媒体１１は搬送路１３によりプリンタ部５に搬送され印字すべき位置が印字ヘッド７と対向する位置に位置決めされる。
【００１３】
その後、主制御部２０はプリンタ部５に対してメモリ２４に記憶している前記の情報と印字の指示を送り、これにより印字ヘッド７はインクリボン１０を介して前記の情報を媒体１１に印字する。
印字が終了すると、主制御部２０は搬送制御部２６を介して駆動デバイス群２７を駆動し、これにより媒体１１は搬送路１３によりプリンタ部５から券排出口４に向かって搬送され、図示しないシャッターが開いて前記の媒体１１が座席指定券として券排出口から排出される。
【００１４】
尚、ジャーナルプリンタ１５は、前記の処理に係わる保存用の発券情報を印字出力するもので、印字ヘッド１８によりジャーナル用紙１６に発券情報の印字を行い、その後ジャーナル用紙１６は巻き取りローラ１９ａ，１９ｂにより巻き取られる。
【００１５】
【発明が解決しようとする課題】
しかしながら上述した従来の技術では以下の問題がある。
すなわち、今日、予約業務等の多様化に伴って、同一装置で複数種類の券を発行する機能が要求され、そのためこの複数種類の券に対応する複数種類の媒体を装置内に保持する必要が生じているが、その一方で装置の小型化、低コスト化という要求もあり、このようなユーザーのニーズに対応する装置が求められているが、上述した従来の装置では、媒体収納部（ホッパ）から媒体を繰り出す繰り出し手段を媒体収納部毎に具備しなければならないため、前記のニーズに充分応えられないという問題がある。
【００１６】
従って、本発明は、複数の媒体収納部を有する媒体処理装置において、装置の小型化、低コスト化を図ることを課題としている。
【００１７】
【課題を解決するための手段】
そのため、本発明は、媒体収納部に収納された媒体を１枚づつ繰り出して、その繰り出した媒体に所定の処理を施す媒体処理装置において、各々の媒体繰り出し口を対向させて少なくとも２個配置された媒体収納部と、この両媒体収納部の媒体繰り出し口間の上方に配置され、両媒体収納部の媒体を繰り出す繰り出しローラと、該繰り出しローラの両側に設けられ、それぞれ媒体を前記媒体収納部側に戻す方向にのみ回転可能とし、かつ前記繰り出しローラの駆動源により回転するようにした第１の分離ローラ及び第２の分離ローラと、前記繰り出しローラの回転に連動して揺動するように前記媒体繰り出し口間に配置され、前記繰り出しローラが正方向に回転したときは一方の媒体収納部の媒体に当接し、前記繰り出しローラが逆方向に回転したときは他方の媒体収納部の媒体に当接すると共に、前記繰り出しローラと同方向に回転して当接している媒体を、前記繰り出しロ−ラと第１の分離ローラとの間、前記繰り出しロ−ラと第２の分離ローラとの間のいずれかに送るピックアップローラとを備え、媒体を前記繰り出しローラにより繰り出したとき、次の媒体が前記繰り出しローラと第１の分離ローラまたは第２の分離ローラとの間に挟みこまれた場合、その媒体を繰り出された媒体収納部に戻すように前記繰り出しローラと前記第１の分離ローラまたは第２の分離ローラを回転させることを特徴とする。
【００１８】
【発明の実施の形態】
以下に図面を参照して本発明による媒体処理装置の実施の形態について説明する。
図１は第１の実施の形態を示す要部側面図、図２は同実施の形態における媒体繰り出し手段の斜視図、図３は装置全体の内部構成を示す側面図である。
【００１９】
尚、本実施の形態において、従来の技術で説明したものと同じ構成要素については、同一の符号を付してその詳細な説明を省略する。
図において１２ａと１２ｂはそれぞれ予約券となるべき未印字の媒体１１ａ，１１ｂを整列して収納した媒体収納部としてのホッパで、この２つのホッパ１２ａ，１２ｂは筐体１内の底部に互いの媒体繰り出し口が対向するように装着されており、紙面に向かって奥行き方向に着脱できるようになっている。
【００２０】
３０は繰り出しローラで、この繰り出しローラ３０は図２に示した駆動源としてのモーター３１によってベルト３２を介して駆動されるシャフト３３に取り付けられており、ホッパ１２ａ，１２ｂの媒体繰り出し口間の上方に配置されている。
３４は第１の分離ローラで、この第１の分離ローラ３４はシャフト３５に取り付けられ、繰り出しローラ３０の一側に接するか、あるいは僅かにかみ合うように配置されている。
【００２１】
３６は第２の分離ローラで、この第２の分離ローラ３５は図示しないシャフトに取り付けられており、繰り出しローラ３０を挟んで第１の分離ローラ３４と対称の位置に配置され、繰り出しローラ３０の別の一側に接するか、あるいは僅かに噛み合うように配置されている。
また、第１の分離ローラ３４とシャフト３５の間、及び第２の分離ローラ３６と図示しないシャフト３５の間には、それぞれ図示しないワンウェイクラッチが設けられており、これにより両分離ローラー３４，３５はそれぞれ矢印Ａ１，Ａ２方向、つまりホッパ１２ａ，１２ｂから繰り出される媒体１１ａ，１１ｂをホッパ１２ａ，１２ｂ側へ戻す方向にのみ回転可能となっている。
【００２２】
３７はピックアップローラで、このピックアップローラ３７はギア３８を有するシャフト３９に取り付けられ、ホッパ１２ａ，１２ｂの媒体繰り出し口間に配置されている。
４０はギアで、このギア４０はトルクリミッタ４１と共にシャフト４２に取り付けられ、ギア３８と噛み合っている。
【００２３】
また、トルクリミッタ４１にはブラケット４３が設けられ、このブラケット４３に前記ピックアップローラ３７を取り付けたシャフト３９が支持されている。
４４はシャフト４５に取り付けられたギアで、このギア４４はギア３８と噛み合っており、そしてシャフト４５はベルト４６を介してシャフト３３の回転が伝達されるようになっている。
【００２４】
つまり、モーター３１の回転力がシャフト３３、ベルト４６を介してシャフト４５に伝達され、このシャフトからギア４４，ギア４０，ギア３０を介してシャフト３９に回転力が伝達されてピックアップローラ３０が回転すると共に、ブラケット４３がモーター３１の回転方向に応じて揺動し、これによりピックアップローラ３０がホッパ１２ａと１２ｂに収納された媒体１１ａまたは１１ｂに接触すると共に、その接触によりピックアップローラ３０に一定のトルクが加わるとトルクリミッタ４１の作用によりブラケット４３の揺動が停まるようになっている。
【００２５】
尚、装置の筐体１内には図１に示した一対のフレーム４７が対向設置されており、シャフト３３，３５，４２，及び４５はこの一対のフレーム４７に支持されている。
次に、上述した構成の作用について説明する。
ここで、本実施の形態における制御系等は図５で説明した従来のものと同様とし、以下の作用の説明ではモーター３１は図５に示した主制御部２０により制御されるものとする。
【００２６】
まず、ホッパ１２ａに収納されている媒体１１ａを繰り出す場合、モーター３１を矢印Ｂ方向（正方向）に回転させると、この回転がベルト３２を介してシャフト３３に伝えられ、繰り出しローラ３０が矢印Ｂ方向に回転する。
同時にシャフト３３の回転はベルト４６を介してシャフト４５に伝達され、更にギア４４，４０，３８を介してシャフト３９に伝達されるので、このシャフト３９に取り付けられているピックアップローラ３９も矢印Ｂ方向に回転する。
【００２７】
また、ギア４０が回転することで、その回転がシャフト４２を介してトルクリミッタ４１に伝達され、これによりトルクリミッタ４１と共にブラケット４０がシャフト４２を中心に矢印Ｄ方向に揺動して、ピックアップローラ３７がホッパ１２ａの媒体繰り出し口においてホッパ１２ａ内の媒体１１ａに当接する。
そして、ピックアップローラ３７が媒体１１ａに当接することで、トルクリミッタ４１に対するトルクが一定のレベルに達すると、トルクリミッタ４１はシャフト４２との間に滑りを生じて回転が停止するが、ピックアップローラ３７は媒体１１ａに当接したまま回転し続けるので、ホッパ１２ａの媒体繰り出し口から媒体１１ａが繰り出される。
【００２８】
そして、繰り出された媒体１１ａの先端は繰り出しローラ３３と分離ローラとの間に挟み込まれ矢印Ｂ方向に回転している繰り出しローラ３３により搬送路１３に送り込まれるが、この繰り出しにおいて媒体１１ａがホッパ１２ａから２枚以上重なって繰り出されると、繰り出しローラ３３に直接接触している媒体１１ａ以外の媒体１１ａは第１の分離ローラ３４との摩擦により停められるので、媒体１１ａを１枚だけ分離して搬送路１３に送り込むことかできる。
【００２９】
搬送路１３に送り込まれた媒体１１ａは従来と同様の処理が行われ券排出口４から排出される。
ホッパ１２ｂに収納されている媒体１１ｂを繰り出す場合、モーター３１を矢印Ｂと逆の方向に回転させると、この回転は前記と同様の経路で各部に伝達されるので、これにより繰り出しローラ３３及びピックアップローラ３７も前記と逆の方向に回転する。
【００３０】
また、このときギア４０が回転することでトルクリミッタ４１を介してブラケット４０がシャフト４２を中心に矢印Ｄと逆の方向に揺動し、これによりピックアップローラ３７がホッパ１２ｂの媒体繰り出し口においてホッパ１２ｂ内の媒体１１ｂに当接して回転するので、これにより媒体繰り出し口から媒体１１ｂが繰り出される。
【００３１】
この場合も媒体１１ｂがホッパ１２ｂから２枚以上重なって繰り出されると、繰り出しローラ３３に直接接触している媒体１１ｂ以外の媒体１１ａは第２の分離ローラ３６との摩擦により停められるので媒体１１ｂを１枚だけ分離して搬送路１３に送り込むことかできる。
一方、この媒体１１ｂの繰り出しの際、第１の分離ローラ３４は繰り出しローラーとの摩擦により矢印Ａ１方向に回転するため、前回の媒体１１ａの繰り出しにおいて、第１の分離ローラ３４との摩擦で停められている媒体１１ａが存在している場合、このときの第１の分離ローラ３４の矢印Ａ１方向の回転によりホッパ１２ａ側に戻される。
【００３２】
同様に媒体１１ａの繰り出しの際、第２の分離ローラ３６は繰り出しローラーとの摩擦により矢印Ａ２方向に回転するため、前回の媒体１１ｂの繰り出しにおいて、第２の分離ローラ３６との摩擦で停められている媒体１１ｂが存在している場合、このときの第１の分離ローラ３６の矢印Ａ２方向の回転によりホッパ１２ｂ側に戻される。
【００３３】
以上説明した実施の形態によれば、媒体繰り出し口を対向させて配置した２つのホッパ１２ａ，１２ｂ間に、繰り出しローラ３３と連動して同方向に回転するピックアップローラ３７を設け、繰り出しローラ３３の駆動源としてのモータ３１の回転方向に従ってピックアップローラ３７が揺動してホッパ１２ａ，１２ｂの一方の媒体１１ａまたは１１ｂに当接して繰り出しを行うようにしている。
【００３４】
そのため、２つのホッパ１２ａ，１２ｂつまり２つの媒体収納部に対して繰り出しローラ３３及びピックアップローラ３７を備えた媒体繰り出し手段は１つ設ければ済むことになり、装置の小型化，低コスト化を図ることが可能となり、同一装置で複数種類の券の処理を行う小型で低コストな装置を求めるユーザのニーズに応えることができる。
【００３５】
次に、第２の実施の形態について説明する。
図４は第２の実施の形態における媒体繰り出し手段の斜視図である。
この第２の実施の形態は、第１の実施の形態の構成に加えて、繰り出しローラ３０のシャフト３３にギア４８を取り付け、このギア４８と噛み合うギア４９を第１の分離ローラ３４のシャフト３５に取り付けると共に、このギア４９とシャフト３５の間に、第１の分離ローラ３４を矢印Ａ１方向に回転させる回転力のみ伝える図示しないワンウェイクラッチを介在させ、このワンウェイクラッチのクラッチボス４９ａを介してシャフト３５をフレームに支持したもので、本図では図示していないが第２の分離ローラ３６側についても同様の構造としている。
【００３６】
この構成において、ホッパ１２ａ，１２ｂからの媒体１１ａ，１１ｂの繰り出しは第１の実施の形態と同様に行われるのでその説明は省略するが、ここで、例えば、ホッパ１２ａから媒体１１ａを１枚繰り出して図３に示した搬送路１３に送り込んだとき、次の媒体１１ａの先端は繰り出しローラ３０と第１の分離ローラ３４との接触あるいは噛み合い部側に送られるが、このとき媒体１１ａの折れ癖等によりその媒体１１ａの先端が前記の接触あるいは噛み合い部に挟みこまれたり、越えてしまうことがある。
【００３７】
このような場合、モーター３１を矢印Ｅ方向（図２の矢印Ｂ方向と逆の方向）に回転させると、シャフト３３と一体に繰り出しローラ３０及びギア４８が矢印Ｅ方向に回転する。
このギア４８には第１の分離ローラ３４のシャフト３５に設けられたギア４９が噛み合っていて、このギア４９とシャフト３９との間に介在している図示しないワンウェイクラッチがギア４８の矢印Ｅ方向の回転をシャフト３９に伝えるため、第１の分離ローラ３４は矢印Ａ１方向に回転する。
【００３８】
これにより繰り出しローラ３３と第１の分離ローラ３４の接触あるいは噛み合い部に先端が挟みこまれたり越えてしまっている媒体１１ａは、第１の分離ローラ３４との間に滑りを生じることなくホッパ１２ａ側に送り戻される。
第２の分離ローラ３６側も同様の構造となっているので、媒体１１ｂに対しても作用が行われる。
【００３９】
尚、繰り出しローラ３３と第１の分離ローラ３４または第１の分離ローラ３６の接触あるいは噛み合い部に先端が挟みこまれたり越えてしまっている媒体１１ａまたは１１ｂの検出を行うセンサを設けて、このセンサの検知結果によりモーター３１の回転を制御するようにしてもよく、また特にこのようなセンサを設けず、媒体１１ａまたは媒体１１ｂをそれぞれ繰り出すときの繰り出しローラ３３の回転時に、これらの媒体１１ａ，１１ｂの送り戻しを行うようにしてもよい。
【００４０】
以上説明した第２の実施の形態によれば、第１の実施の形態と同様に２つのホッパ（媒体収納部）１２ａ，１２ｂに対して媒体繰り出し手段を１つ設けるだけで済むため、装置の小型化，低コスト化を図ることが可能となり、同一装置で複数種類の券の処理を行う小型で低コストな装置を求めるユーザのニーズに応えることができる他、繰り出しローラ３３のシャフトの回転をギア４８，４９、及びワンウェイクラッチにより第１の分離ローラ３５または第２の分離ローラ３６を各々特定方向のみに回転させるようにしているため、繰り出しローラ３３と第１の分離ローラ３４または第１の分離ローラ３６の接触あるいは噛み合い部に先端が挟みこまれたり越えてしまっている媒体１１ａまたは１１ｂをそれぞれホッパ１２ａ，１２ｂ側に確実に送り戻すことができる。
【００４１】
また、第１の分離ローラ３５または第２の分離ローラ３６の回転により媒体１１ａまたは１１ｂを送り戻すので、各々の分離ローラ３５，３６と媒体１１ａ，１１ｂとの間に滑りを生じることがなく、これにより少ない回転量で送り戻しを行えるので、処理時間が少なくて済むことになる。
次に、第３の実施の形態について説明する。
【００４２】
図５は第３の実施の形態を示す要部側面図、図６は図５のＧ−Ｇ線断面図である。
この第３の実施の形態は、所定の間隔で配置したホッパ１２ａ，１２ｂの各々の媒体繰り出し口上方に第１，第２の分離ローラ３４，３６を配置すると共に、繰り出しローラ３０とピックアップローラ３７を垂直に配列して略コの字形のブラケット５０に支持し、そして繰り出しローラ３０を両分離ローラ３４，３６間に、またピックアップローラ３をホッパ１２ａ，１２ｂの媒体繰り出し口間にそれぞれ配置して、更にブラケット５０に突出形成された取り付け部５１をローラ５２ａ，５２ｂ間に掛け渡されたベルト５３に固定することにより、ベルト５３を回転させることで繰り出しローラ３０とピックアップローラ３７がホッパ１２ａ，１２ｂの対向方向に一体に移動するようにしたものである。
【００４３】
ここで、繰り出しローラ３０とピックアップローラ３７は図示しない第１のモーターにより同方向に回転するようになっている、そのモーターの回転力を両ローラ３０，３７に伝達する手段は図示していないがベルトやギアにより適宜に構成している。
また、両ローラ３０，３７を回転させる第１のモーターとは別に図示しない第２のモーターが設けられ、この第２のモーターによりローラ５１ａ，５１ｂを介してベルト５３が駆動されるものとなっている。
【００４４】
また、ブラケット５０には、位置検知用アーム５４と、ストッパ５５が形成されていて、この位置検知用アーム５４と対応するように繰り出しローラ３０及びピックアップローラ３７の位置を検知するセンサ５６ａ、５６ｂが設けられ、かつストッパ５６と対応するように第１，第２の分離ローラ３４，３６に対する繰り出しローラ３３の位置を確保するためのリミッタ５７ａ、５７ｂが設けられている。
【００４５】
尚、ブラケット５０の取り付け部５１，位置検知用アーム５５，及びストッパ５６はフレーム４７に形成された穴から外側に伸びているが、フレーム４７の内側にスペース的な余裕があれば、必ずしも図示したようにする必要はない。
また、第１，第２の分離ローラ３４，３６がそれぞれ矢印Ａ１，Ａ２方向にのみ回転可能になっていることは第１，第２の実施の形態と同じであり、またその他の装置の構成についても同様である。
【００４６】
次に、上述した構成の作用について説明する。
まず、ホッパ１２ａに収納されている媒体１１ａを繰り出す場合、図示しない第２のモーターによりベルト５３が矢印Ｆ方向に駆動され、これによりブラケット５０のストッパ５４がリミッタ５７ａに突き当たるまで、ブラケット５０と一体に繰り出しローラ３０とピックアップローラ３７が移動する。
【００４７】
これにより繰り出しローラ３０が第１の分離ローラ３４と接触あるいは僅かに噛み合う位置に位置決めされると共に、ピックアップローラ３７がホッパ１２ａの媒体繰り出し口においてホッパ１２ａ内の媒体１１ａに当接する。
また、これと同時にブラケット５０の位置検知用アーム５４がセンサ５６ａに検知され、このセンサ５６ａの検知信号に基づいて図示しない第１のモーターが駆動され、繰り出しローラ３０及びピックアップローラ３７が矢印Ｂ方向にそれぞれ回転する。
【００４８】
このピックアップローラ３７の回転によりホッパ１２ａの媒体繰り出し口から媒体１１ａが繰り出され、そして、繰り出された媒体１１ａの先端は繰り出しローラ３３と分離ローラとの間に挟み込まれ矢印Ｂ方向に回転している繰り出しローラ３３により搬送路１３に送り込まれるが、この繰り出しにおいて媒体１１ａがホッパ１２ａから２枚以上重なって繰り出されると、繰り出しローラ３３に直接接触している媒体１１ａ以外の媒体１１ａは第１の分離ローラ３４との摩擦により停められるので、媒体１１ａを１枚だけ分離して搬送路１３に送り込むことかできる。
【００４９】
搬送路１３に送り込まれた媒体１１ａは従来と同様の処理が行われ券排出口４から排出される。
ホッパ１２ｂに収納されている媒体１１ｂを繰り出す場合は、図示しない第２のモーターによりベルト５３が矢印Ｆと逆の方向に駆動され、これによりブラケット５０のストッパ５４がリミッタ５７ｂに突き当たるまで、ブラケット５０と一体に繰り出しローラ３０とピックアップローラ３７が移動する。
【００５０】
これにより繰り出しローラ３０が第２の分離ローラ３６と接触あるいは僅かに噛み合う位置に位置決めされると共に、ピックアップローラ３７がホッパ１２ｂの媒体繰り出し口においてホッパ１２ｂ内の媒体１１ｂに当接する。
また、これと同時にブラケット５０の位置検知用アーム５４がセンサ５６ａに検知され、このセンサ５６ａの検知信号に基づいて図示しない第１のモーターが駆動され、繰り出しローラ３０及びピックアップローラ３７が矢印Ｂと逆の方向にそれぞれ回転するので、このピックアップローラ３７の回転により媒体繰り出し口から媒体１１ｂが繰り出される。
【００５１】
この場合も媒体１１ｂがホッパ１２ｂから２枚以上重なって繰り出されると、繰り出しローラ３３に直接接触している媒体１１ｂ以外の媒体１１ａは第２の分離ローラ３６との摩擦により停められるので媒体１１ｂを１枚だけ分離して搬送路１３に送り込むことかできる。
以上説明した第３の実施の形態によれば、媒体繰り出し口を対向させて配置した２つのホッパ（媒体収納部）１２ａ，１２ｂ間に、繰り出しローラ３３と連動して同方向に回転するピックアップローラ３７を設け、この繰り出しローラ３３とピックアップローラ３７を一体に移動させることによりピックアップローラ３７がホッパ１２ａ，１２ｂの一方の媒体１１ａまたは１１ｂに当接して繰り出しを行うようにしている。
【００５２】
従ってこれによれば、第１の実施の形態と同様に２つのホッパ１２ａ，１２ｂに対して媒体繰り出し手段を１つ設けるだけで済むため、装置の小型化，低コスト化を図ることが可能となり、同一装置で複数種類の券の処理を行う小型で低コストな装置を求めるユーザのニーズに応えることができる。
尚、上述した各実施の形態では、２つのホッパ１２ａ，１２ｂを有する媒体処理装置を例にして説明したが、本発明はこれに限られるものではなく、媒体の種類が４種類、６種類等の場合にも適用可能であり、この場合、ホッパ２個に対して媒体繰り出し手段を１つ設けるようにすればよい。
【００５３】
【発明の効果】
以上説明したように、本発明は、媒体収納部を各々の媒体繰り出し口を対向させて少なくとも２個配置すると共に、ピックアップローラを繰り出しローラの回転に連動して揺動するように前記媒体繰り出し口間に配置し、前記繰り出しローラが正方向に回転したときは前記ピックアップローラが一方の媒体収納部の媒体に当接し、前記繰り出しローラが逆方向に回転したときは前記ピックアップローラが他方の媒体収納部の媒体に当接するようにするか、または媒体繰り出し口間に前記ピックアップローラを配置し、かつ、前記繰り出しローラと前記ピックアップローラを前記媒体収納部の対向方向に一体に移動自在として、媒体繰り出し時に、前記媒体収納部の対向方向に前記繰り出しローラと前記ピックアップローラを移動させることにより、いずれか一方の前記媒体収納部の媒体に前記ピックアップローラを当接させて媒体を繰り出せるようにしている。
【００５４】
従って、これによれば、２つの媒体収納部に対して繰り出しローラ及びピックアップローラを含む媒体繰り出し手段を１つ設けるだけで済むため、装置の小型化，低コスト化を図ることが可能となり、同一装置で複数種類の券の処理を行う小型で低コストな装置を求めるユーザのニーズに応えることができるという効果が得られ、媒体収納部の数が多くなるほど効果も大きいという利点もある。
【図面の簡単な説明】
【図１】本発明による媒体処理装置の第１の実施の形態を示す要部側面図である。
【図２】第１の実施の形態における媒体繰り出し手段の斜視図である。
【図３】本発明による媒体処理装置の内部構成を示す側面図である。
【図４】第２の実施の形態における媒体繰り出し手段の斜視図である。
【図５】第１の実施の形態を示す要部側面図である。
【図６】図５のＧ−Ｇ線断面図である。
【図７】従来の媒体処理装置の内部構成を示す側面図である。
【図８】従来の媒体処理装置の機能ブロック図である。
【符号の説明】
１１ａ，１１ｂ  媒体
１２ａ，１２ｂ  ホッパ
３０  繰り出しローラ
３１  モーター
３２  ベルト
３３  シャフト
３４  第１の分離ローラ
３６  第２の分離ローラ
３７  ピックアップローラ
３８  ギア
３９  シャフト
４０  ギア
４１  トルクリミッタ
４２  シャフト
４３  ブラケット
４４  ギア
４６  ベルト
４７  フレーム
４８，４９  ギア
５０  ブラケット
５１  取り付け部
５２ａ，５２ｂ  ローラ
５３  ベルト
５４  位置検知用アーム
５５  ストッパ
５６ａ，５６ｂ  センサ
５７ａ，５７ｂ  リミッタ
【図１】
0003732308.tif 000002
【図２】
0003732308.tif 000003
【図３】
0003732308.tif 000004
【図４】
0003732308.tif 000005
【図５】
0003732308.tif 000006
【図６】
0003732308.tif 000007
【図７】
0003732308.tif 000008
【図８】
0003732308.tif 000009